(57)【要約】【課題】異物の侵入を、より抑制することが可能な表示装置を提供する。【解決手段】表示装置は、表示パネルと、前記表示パネルの裏面側に配置される光源と、前記光源を収容する収容体と、を備える。前記収容体は、前記光源の裏面側に配置される第１部位と、前記第１部位から折り曲げられ、前記光源の外側に配置される第２部位とを有する第１収容体と、前記第２部位の外側に配置される第３部位と、前記表示パネルと前記光源との間に配置され、前記第３部位から内側に延びて、当該表示パネルを支持する第４部位とを有する第２収容体と、を含む。前記第３部位は、内側に向けて突出し前記第２部位の側面に当接可能な第１凸部と、内側に折り曲げられて先端が前記第２部位の側面に当接可能な折り曲げ部と、を有する。【選択図】図１
2020154193.tif 000002
【特許請求の範囲】
【請求項１】
表示パネルと、
前記表示パネルの裏面側に配置される光源と、
前記光源を収容する収容体と、を備え、
前記収容体は、
前記光源の裏面側に配置される第１部位と、前記第１部位から折り曲げられ、前記光源の外側に配置される第２部位とを有する第１収容体と、
前記第２部位の外側に配置される第３部位と、前記表示パネルと前記光源との間に配置され、前記第３部位から内側に延びて、当該表示パネルを支持する第４部位とを有する第２収容体と、を含み、
前記第３部位は、内側に向けて突出し前記第２部位の側面に当接可能な第１凸部と、内側に折り曲げられて先端が前記第２部位の側面に当接可能な折り曲げ部と、を有し、
前記第１凸部及び前記折り曲げ部は、前記第３部位の周方向に沿って環状に設けられる、
表示装置。
【請求項２】
前記第３部位には、第１貫通孔が設けられ、前記第２部位には、外側に向けて突出し前記第１貫通孔に嵌合可能な第２凸部が設けられる
請求項１に記載の表示装置。
【請求項３】
前記収容体は、前記第３部位の外側に配置される第５部位と、前記表示パネルの表面側に配置され、前記第５部位から内側に延びて、当該表示パネルに固定される第６部位とを有する第３収容体を含む
請求項１又は２に記載の表示装置。
【請求項４】
前記第５部位には、第２貫通孔が設けられ、前記第３部位には、外側に向けて突出し前記第２貫通孔に嵌合可能な第３凸部が設けられる
請求項３に記載の表示装置。
【発明の詳細な説明】
【技術分野】
【０００１】
本開示は、表示装置に関する。
【背景技術】
【０００２】
２枚の金属板同士を対向して配置し、一方の金属板に他方の金属板側に突出する凸部を設け、当該凸部を他方の金属板に当接することにより、一方の金属板と他方の金属板との間から雨水等の浸入を抑制する構造がある（特許文献１参照）。
【先行技術文献】
【特許文献】
【０００３】
【特許文献１】国際公開第２００６／０４３３２５号
【発明の概要】
【発明が解決しようとする課題】
【０００４】
表示装置では、異物の侵入を、より抑制することが望まれている。
【０００５】
本発明は、上記に鑑みてなされたものであり、異物の侵入を、より抑制することが可能な表示装置を提供することを目的とする。
【課題を解決するための手段】
【０００６】
本発明の一態様に係る表示装置は、表示パネルと、前記表示パネルの裏面側に配置される光源と、前記光源を収容する収容体と、を備え、前記収容体は、前記光源の裏面側に配置される第１部位と、前記第１部位から折り曲げられ、前記光源の外側に配置される第２部位とを有する第１収容体と、前記第２部位の外側に配置される第３部位と、前記表示パネルと前記光源との間に配置され、前記第３部位から内側に延びて、当該表示パネルを支持する第４部位とを有する第２収容体と、を含み、前記第３部位は、内側に向けて突出し前記第２部位の側面に当接可能な第１凸部と、内側に折り曲げられて先端が前記第２部位の側面に当接可能な折り曲げ部と、を有し、前記第１凸部及び前記折り曲げ部は、前記第３部位の周方向に沿って環状に設けられる。
【図面の簡単な説明】
【０００７】
【図１】図１は、第１実施形態に係る表示装置の断面図である。
【図２】図２は、図１の分解斜視図である。
【図３】図３は、図１に示す第２収容体の第３部位を正面から見た模式図である。
【図４】図４は、図３のＩＶ−ＩＶ線による模式的な断面図であり、第１収容体及び第３収容体を含めて記載している図である。
【図５】図５は、第２実施形態に係る第２収容体の第３部位を正面から見た模式図である。
【図６】図６は、図５のＶＩ−ＶＩ線による模式的な断面図であり、第１収容体及び第３収容体を含めて記載している図である。
【図７】図７は、図５のＶＩＩ−ＶＩＩ線による模式的な断面図であり、第１収容体及び第３収容体を含めて記載している図である。
【図８】図８は、図５のＶＩＩＩ−ＶＩＩＩ線による模式的な断面図であり、第１収容体及び第３収容体を含めて記載している図である。
【図９】図９は、第３実施形態に係る第２収容体の第３部位を正面から見た模式図である。
【図１０】図１０は、図９のＸ−Ｘ線による模式的な断面図であり、第１収容体及び第３収容体を含めて記載している図である。
【図１１】図１１は、図９のＸＩ−ＸＩ線による模式的な断面図であり、第１収容体及び第３収容体を含めて記載している図である。
【図１２】図１２は、図９のＸＩＩ−ＸＩＩ線による模式的な断面図であり、第１収容体及び第３収容体を含めて記載している図である。
【図１３】図１３は、変形例に係る表示装置の一部の模式的な断面図である。
【発明を実施するための形態】
【０００８】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【０００９】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
[第１実施形態]
図１は、第１実施形態に係る表示装置の断面図である。図２は、図１の分解斜視図である。
【００１１】
第１実施形態の表示装置１は、表示パネル１０と、バックライト部（照明部）２０と、放熱板３０と、収容体４０と、を有する。表示装置１は、例えば、バックライト部２０から放射された光を表示パネル１０で変調して、表示面に画像を表示する。
【００１２】
表示パネル１０は、第１基板１０１と、第２基板１０２と、液晶層１０３と、第１偏光板１０４と、第２偏光板１０５と、を有する。最も表面側（図１の上側）には、第１偏光板１０４が配置され、第１偏光板１０４の裏面側（図１の下側）には第１基板１０１が配置される。第１基板１０１の裏面側には液晶層１０３が配置され、液晶層１０３の裏面側には第２基板１０２が配置される。第２基板１０２の裏面側には第２偏光板１０５が配置される。放熱板３０を図１及び図２に記載しているが、表示装置１の構成内容によっては、省略してもよい。
【００１３】
バックライト部２０から表面側に向けて放射された光は、第２偏光板１０５及び第２基板１０２を透過して液晶層１０３に入射し、液晶層１０３によって変調される。液晶層１０３によって変調された光は、第１基板１０１及び第１偏光板１０４を透過して、画像として認識される。ここで、第２偏光板１０５は、バックライト部２０から照射された光を直線偏光に変換する。第１偏光板１０４は、液晶層１０３の配向（変調量）の状態に応じて、光を透過又は遮断する。
【００１４】
表示パネル１０は、透光部６１と、透光部６１の外側に配置された遮光部６２とを有する。透光部６１は表示装置１の表示領域であり、遮光部６２は表示装置１の額縁領域である。
【００１５】
バックライト部２０は、光源２１０を有する。光源２１０は、導光体と、図示しないＬＥＤ(Light  Emitting  Diode)と、を含む。ＬＥＤは、例えば、導光体の側方に配置される。光源２１０は、例えば、導光板２１１と、反射シート２１２と、第１レンズシート２１３と、第２レンズシート２１４と、拡散シート２１５と、をさらに含む。導光板２１１は、板状の部材であり、例えば、平面視で矩形形状を有する。なお、光源２１０は、表示パネル１０の裏面側にＬＥＤを配置したいわゆる直下型光源であってもよい。
【００１６】
拡散シート２１５の裏面側には第２レンズシート２１４が配置され、第２レンズシート２１４の裏面側には第１レンズシート２１３が配置される。第１レンズシート２１３の裏面側には導光板２１１が配置され、導光板２１１の裏面側には反射シート２１２が配置される。
【００１７】
第１レンズシート２１３と第２レンズシート２１４は、導光板２１１の表面から放射された光の指向性を高める。拡散シート２１５は、第１レンズシート２１３と第２レンズシート２１４によって指向性が高められた光を適度に拡散させる。反射シート２１２は、導光板２１１から漏れ出した光を反射して導光板２１１に入射させる。反射シート２１２は、例えば、発泡ＰＥＴ（ポリエチレンテレフタレート）である。また、反射シート２１２は、銀蒸着フィルム、多層膜反射フィルム、白色ＰＥＴなどでもよい。反射シート２１２、第１レンズシート２１３、第２レンズシート２１４及び拡散シート２１５は、必要に応じて設けられるものであり、省略してもよい。
【００１８】
放熱板３０は、反射シート２１２の裏面側に配置される。放熱板３０は、例えばアルミニウム又はアルミニウム合金で形成されている。これにより、放熱性が高まる。
【００１９】
収容体４０は、第１収容体４１０と、第２収容体４２０と、第３収容体４３０と、を備える。第１収容体４１０は、下フレームとも呼ばれ、第２収容体４２０は、上フレームとも呼ばれる。第１収容体４１０及び第２収容体４２０は、光源２１０と、放熱板３０と、を収容する。第１収容体４１０及び第２収容体４２０は、本実施形態では金属製であり、例えば、薄い厚さのステンレス鋼板である。図１に示すように、第１収容体４１０は、第１部位４１１と、第２部位４１２とを有する。
【００２０】
第１部位４１１は、放熱板３０の裏面に接着層５１を介して接着される平板状の部位である。接着層５１は、例えば両面テープである。このように、第１部位４１１は、放熱板３０の裏面側に配置される。第２部位４１２は、第１部位４１１の外側端４１８で折り曲げられて表面側（図１の上側）に延びる。第２部位４１２は、光源２１０及び放熱板３０の外側に配置される。
【００２１】
第１収容体４１０は、平面視で周縁部が矩形の形状を有する。即ち、第１部位４１１及び第２部位４１２のそれぞれは、第１収容体４１０の周縁部の略全周に亘って環状に繋がっている。
【００２２】
第２収容体４２０は、第３部位４２２と、第４部位４２１とを有する。本実施形態では、第３部位４２２は、第２部位４１２の外側に配置される。第４部位４２１は、第３部位４２２の表面側の端部４２３から内側に向けて延びる。なお、第４部位４２１の表面には、接着部材５２が固定され、接着部材５２の表面に表示パネル１０が設けられる。接着部材５２は、例えばクッションテープである。第２部位４１２の表面側の先端（図１の上側の先端）は、第４部位４２１の裏面に当接している。このように、第４部位４２１は、表示パネル１０と光源２１０との間に配置され、第３部位４２２から内側に延びて、表示パネル１０を支持する。
【００２３】
第３収容体４３０は、第５部位４３２と、第６部位４３１とを有する。本実施形態では、第５部位４３２は、第３部位４２２の外側に配置される。第６部位４３１は、第５部位４３２の表面側の端部４３３から内側に向けて延びる。なお、第６部位４３１の裏面には、接着部材５３が固定され、接着部材５３を介して第６部位４３１と表示パネル１０とが接着される。接着部材５３は、例えばクッションテープである。
【００２４】
図３は、図１に示す第２収容体の第３部位を正面から見た模式図である。図４は、図３のＩＶ−ＩＶ線による模式的な断面図であり、第１収容体及び第３収容体を含めて記載している図である。
【００２５】
第２収容体４２０の第３部位４２２には、表面側から裏面側に向けて（図３の上側から下側に向けて）、第１平坦部４２２１と、第１凸部４２２２と、第２平坦部４２２３と、折れ線４２２４と、折り曲げ部４２２５と、先端４２２６と、が設けられる。
【００２６】
第１平坦部４２２１及び第２平坦部４２２３は、表面側から裏面側に向けた縦方向（図４の上下方向）に沿って延びる。第１平坦部４２２１及び第２平坦部４２２３は、第５部位４３２に当接可能である。第１凸部４２２２は、例えば、絞り加工によって成形され、内側（図４の左側）に向けて突出する。第１凸部４２２２は、第１横壁部４２２２ａと、第２横壁部４２２２ｂと、縦壁部４２２２ｃと、を有する。第１横壁部４２２２ａと第２横壁部４２２２ｂとは、縦方向（図４の上下方向）に離隔して配置される。縦壁部４２２２ｃは、第１横壁部４２２２ａの端部と第２横壁部４２２２ｂの端部とを縦方向に連結する。縦壁部４２２２ｃは、第２部位４１２の側面４１２ａに当接可能である。
【００２７】
折り曲げ部４２２５は、折れ線４２２４から先端４２２６まで、内側に向けて斜めに延びる。即ち、折り曲げ部４２２５は、裏面側（図４の下側）に行くに従って、内側（図４の左側）に向かうように傾斜する。折り曲げ部４２２５は、第１凸部４２２２よりも裏面側（図４の下側）に配置される。折り曲げ部４２２５は、プレス加工で折り曲げられることによって成形される。先端４２２６は、第２部位４１２の側面４１２ａに当接可能である。なお、第１凸部４２２２及び折り曲げ部４２２５は、第２収容体４２０の第３部位４２２の周方向に沿って略全周に環状に設けられる。
【００２８】
本実施形態において、収容体４０は、第１収容体４１０と、第２収容体４２０と、を備える。第１収容体４１０は、光源２１０の裏面側に配置される第１部位４１１と、光源２１０の外側に配置される第２部位４１２とを有する。第２収容体４２０は、第２部位４１２の外側に配置される第３部位４２２と、表示パネル１０を支持する第４部位４２１とを有する。第３部位４２２は、内側に向けて突出し第２部位４１２の側面４１２ａに当接可能な第１凸部４２２２と、内側に折り曲げられて先端４２２６が第２部位４１２の側面４１２ａに当接可能な折り曲げ部４２２５と、を有する。
【００２９】
このように、第３部位４２２は、第１凸部４２２２及び折り曲げ部４２２５を有するため、第２部位４１２と第３部位４２２との間隙から、雨水等の異物が侵入することを抑制することができる。特に、本実施形態では、異物の侵入経路として、第２部位４１２の外側（図４の右側）の下端部と第３部位４２２の内側（図４の左側）の下端部との間隙から侵入したのち、上側（表面側）に向けて移動することが想定される。ここで、第２部位４１２の外側の下端部と第３部位４２２の内側の下端部との間隙は、折り曲げ部４２２５によって封止されるため、当該間隙からの異物の侵入を抑制することができる。仮に、第２部位４１２の外側の下端部と第３部位４２２の内側の下端部との間隙から異物が侵入した場合でも、第１凸部４２２２によって、異物の更なる侵入を抑制することができる。
【００３０】
本実施形態において、第１凸部４２２２及び折り曲げ部４２２５は、第３部位４２２の全周に環状に設けられる。
【００３１】
従って、第１凸部４２２２及び折り曲げ部４２２５を、第３部位４２２の全周の一部に設けた場合よりも、第２部位４１２と第３部位４２２との間隙からの異物の侵入を更に抑制することができる。
【００３２】
本実施形態において、収容体４０は、第３収容体４３０を有する。第３収容体４３０は、第３部位４２２の外側に配置される第５部位４３２と、第５部位４３２から内側に延びて、表示パネル１０に固定される第６部位４３とを含む。
【００３３】
第３収容体４３０は、第３部位４２２の外側に配置される第５部位４３２を有する。従って、第３収容体４３０を設けない場合よりも、外側からの異物の侵入を、より抑制することができる。
【００３４】
[第２実施形態]
次いで、第２実施形態について説明する。図５は、第２実施形態に係る第２収容体の第３部位を正面から見た模式図である。図６は、図５のＶＩ−ＶＩ線による模式的な断面図であり、第１収容体及び第３収容体を含めて記載している図である。図７は、図５のＶＩＩ−ＶＩＩ線による模式的な断面図であり、第１収容体及び第３収容体を含めて記載している図である。図８は、図５のＶＩＩＩ−ＶＩＩＩ線による模式的な断面図であり、第１収容体及び第３収容体を含めて記載している図である。
【００３５】
収容体４０Ａに含まれる第２収容体４２０Ａの第３部位４２２Ａには、表面側から裏面側に向けて（図５の上側から下側に向けて）、第１平坦部４２２１Ａと、第１凸部４２２２Ａと、第２平坦部４２２３Ａと、折れ線４２２４Ａと、折り曲げ部４２２５Ａと、先端４２２６Ａと、が設けられる。第２平坦部４２２３Ａには、第３凸部４２２７が設けられ、第２平坦部４２２３Ａ及び折り曲げ部４２２５Ａには、第１貫通孔４２２８が設けられる。
【００３６】
第１平坦部４２２１Ａ及び第２平坦部４２２３Ａは、表面側から裏面側に向けて縦方向（図６の上下方向）に延びる。第１平坦部４２２１Ａ及び第２平坦部４２２３Ａは、第３収容体４３０Ａの第５部位４３２Ａに当接可能である。第１凸部４２２２Ａは、例えば、絞り加工によって成形され、内側（図６の左側）に向けて突出する。第１凸部４２２２Ａは、第１横壁部４２２２Ａａと、第２横壁部４２２２Ａｂと、縦壁部４２２２Ａｃと、を有する。第１横壁部４２２２Ａａと第２横壁部４２２２Ａｂとは、縦方向（図６の上下方向）に離隔して配置される。縦壁部４２２２Ａｃは、第１横壁部４２２２Ａａの端部と第２横壁部４２２２Ａｂの端部とを縦方向に連結する。縦壁部４２２２Ａｃは、第１収容体４１０Ａの第２部位４１２Ａの側面４１２Ａｃに当接可能である。
【００３７】
折り曲げ部４２２５Ａは、折れ線４２２４Ａから先端４２２６Ａまで、内側に向けて斜めに延びる。即ち、折り曲げ部４２２５Ａは、図６の下側に行くに従って、内側に向かうように傾斜する。折り曲げ部４２２５Ａは、第１凸部４２２２Ａよりも裏面側（図６の下側）に配置される。折り曲げ部４２２５Ａは、プレス加工で折り曲げられることによって成形される。先端４２２６Ａは、第２部位４１２Ａの側面４１２Ａｃに当接可能である。なお、第１凸部４２２２Ａ及び折り曲げ部４２２５Ａは、第２収容体４２０Ａの第３部位４２２Ａの全周に環状に設けられる。
【００３８】
第２平坦部４２２３Ａ及び折り曲げ部４２２５Ａには、折れ線４２２４Ａを挟んだ部位に、第１貫通孔４２２８が設けられる。第１貫通孔４２２８は、正面視が矩形状の形状を有する。第２部位４１２Ａには、外側（図７の右側）に突出する第２凸部４１２Ａａが設けられる。第２凸部４１２Ａａは、第１貫通孔４２２８に嵌合可能である。第２凸部４１２Ａａは、裏面側（図７の下側）に行くに従って外側（図７の右側）に向かうテーパ部４１２Ａｂを有する。
【００３９】
第３収容体４３０Ａの第５部位４３２Ａには、第２貫通孔４２２９が設けられる。第２貫通孔４２２９は、正面視が矩形状の形状を有する。第２平坦部４２２３Ａには、第３凸部４２２７が設けられる。第３凸部４２２７は、正面視が矩形状の形状を有する。第３凸部４２２７は、外側（図８の右側）に向けて突出する。第３凸部４２２７は、第２貫通孔４２２９に嵌合可能である。第３凸部４２２７は、第１横部４２２７ａと、第２横部４２２７ｂと、縦部４２２７ｃと、を有する。第１横部４２２７ａと第２横部４２２７ｂとは、縦方向（図８の上下方向）に離隔して配置される。縦部４２２７ｃは、第１横部４２２７ａの端部と第２横部４２２７ｂの端部とを縦方向に連結する。
【００４０】
本実施形態において、第３部位４２２Ａには、第１貫通孔４２２８が設けられ、第２部位４１２Ａには、外側に向けて突出し第１貫通孔４２２８に嵌合可能な第２凸部４１２Ａａが設けられる。従って、第２部位４１２Ａと第３部位４２２Ａとが嵌め合いによって固定される。このため、第２部位４１２Ａと第３部位４２２Ａとの間に間隙が生じにくくなり、第２部位４１２Ａと第３部位４２２Ａとの間隙から、雨水等の異物が侵入することを更に抑制することができる。また、表示装置１に対して振動が印加される場合、例えば、表示装置１が車両に搭載される場合などにおいては、第２部位４１２Ａと第３部位４２２Ａとの間にガタツキ音が発生することが抑制される。
【００４１】
本実施形態において、第５部位４３２Ａには、第２貫通孔４２２９が設けられ、第３部位４２２Ａには、外側に向けて突出し第２貫通孔４２２９に嵌合可能な第３凸部４２２７が設けられる。このため、第２部位４１２Ａと第３部位４２２Ａとの間に間隙が生じにくくなり、第２部位４１２Ａと第３部位４２２Ａとの間隙から、雨水等の異物が侵入することを更に抑制することができる。また、表示装置１に対して振動が印加される場合、例えば、表示装置１が車両に搭載される場合などにおいては、第３部位４２２Ａと第５部位４３２Ａとの間にガタツキ音が発生することが抑制される。
【００４２】
[第３実施形態]
次いで、第３実施形態について説明する。第３実施形態においては、第２実施形態に対して、第１貫通孔４２２８Ｂの位置が相違する。
【００４３】
図９は、第３実施形態に係る第２収容体の第３部位を正面から見た模式図である。図１０は、図９のＸ−Ｘ線による模式的な断面図であり、第１収容体及び第３収容体を含めて記載している図である。図１１は、図９のＸＩ−ＸＩ線による模式的な断面図であり、第１収容体及び第３収容体を含めて記載している図である。図１２は、図９のＸＩＩ−ＸＩＩ線による模式的な断面図であり、第１収容体及び第３収容体を含めて記載している図である。
【００４４】
収容体４０Ｂに含まれる第２収容体４２０Ｂは、第３部位４２２Ｂを有する。第３部位４２２Ｂには、表面側から裏面側に向けて（図９の上側から下側に向けて）、第１平坦部４２２１Ｂと、第１凸部４２２２Ｂと、第２平坦部４２２３Ｂと、折れ線４２２４Ｂと、折り曲げ部４２２５Ｂと、先端４２２６Ｂと、が設けられる。第２平坦部４２２３Ｂには、第３凸部４２２７が設けられ、第１凸部４２２２Ｂの一部は、第１貫通孔４２２８Ｂが打ち抜き加工される。
【００４５】
第１平坦部４２２１Ｂ及び第２平坦部４２２３Ｂは、表面側から裏面側に向けて縦方向（図１０の上下方向）に延びる。第１平坦部４２２１Ｂ及び第２平坦部４２２３Ｂは、第３収容体４３０Ｂの第５部位４３２Ｂに当接可能である。第１凸部４２２２Ｂは、例えば、絞り加工によって成形され、内側（図１０の左側）に向けて突出する。第１凸部４２２２Ｂは、第１横壁部４２２２Ｂａと、第２横壁部４２２２Ｂｂと、縦壁部４２２２Ｂｃと、を有する。縦壁部４２２２Ｂｃは、第１収容体４１０Ｂの第２部位４１２Ｂの側面４１２Ｂｃに当接可能である。
【００４６】
折り曲げ部４２２５Ｂは、折れ線４２２４Ｂから先端４２２６Ｂまで、内側に向けて斜めに延びる。即ち、折り曲げ部４２２５Ｂは、図１０の下側に行くに従って、内側に向かうように傾斜する。折り曲げ部４２２５Ｂは、プレス加工で折り曲げられることによって成形される。先端４２２６Ｂは、第２部位４１２Ｂの側面４１２Ｂｃに当接可能である。なお、第１凸部４２２２Ｂ及び折り曲げ部４２２５Ｂは、第２収容体４２０Ｂの第３部位４２２Ｂの全周に環状に設けられる。
【００４７】
第１凸部４２２２Ｂの一部は、第１貫通孔４２２８Ｂが打ち抜き加工される。第１貫通孔４２２８Ｂは、正面視が矩形状の形状を有する。第２部位４１２Ｂには、外側（図１１の右側）に突出する第２凸部４１２Ｂａが設けられる。第２凸部４１２Ｂａは、第１貫通孔４２２８Ｂに嵌合可能である。第２凸部４１２Ｂａは、裏面側（図１１の下側）に行くに従って外側（図１１の右側）に向かうテーパ部４１２Ｂｂを有する。
【００４８】
第３収容体４３０Ｂの第５部位４３２Ｂには、第２貫通孔４２２９が設けられる。第２貫通孔４２２９は、正面視が矩形状の形状を有する。第２平坦部４２２３Ｂには、第３凸部４２２７が設けられる。第３凸部４２２７は、正面視が矩形状の形状を有する。第３凸部４２２７は、外側（図１２の右側）に向けて突出する。第３凸部４２２７は、第２貫通孔４２２９に嵌合可能である。
【００４９】
本実施形態において、第３部位４２２Ｂには、第１貫通孔４２２８Ｂが設けられ、第２部位４１２Ｂには、外側に向けて突出し第１貫通孔４２２８Ｂに嵌合可能な第２凸部４１２Ｂａが設けられる。特に、本実施形態の第１貫通孔４２２８Ｂは、第１凸部４２２２Ｂの一部が打ち抜き加工されて成形される。即ち、第１貫通孔４２２８Ｂの周縁には、剛性が高い第１凸部４２２２Ｂが設けられる。従って、平坦な部位に打ち抜き加工をして貫通孔を設ける場合よりも、第１貫通孔４２２８Ｂの周縁の剛性が向上する。よって、第２凸部４１２Ｂａが第１貫通孔４２２８Ｂに嵌合される場合に、嵌め合い剛性が向上する。
【００５０】
[変形例]
次いで、変形例について説明する。変形例に係る第１凸部は、第１実施形態から第３実施形態に示した第１凸部に対して、形状が相違する。図１３は、変形例に係る表示装置の一部の模式的な断面図である。
【００５１】
収容体４０Ｃに含まれる第２収容体４２０Ｃは、第３部位４２２Ｃを有する。第３部位４２２Ｃにおいて、第１平坦部４２２１Ｃ及び第２平坦部４２２３Ｃは、表面側から裏面側に向けて縦方向（図１３の上下方向）に延びる。第１平坦部４２２１Ｃ及び第２平坦部４２２３Ｃは、第３収容体４３０Ｃの第５部位４３２Ｃに当接可能である。折り曲げ部４２２５Ｃは、折れ線４２２４Ｃから先端４２２６Ｃまで、内側に向けて斜めに延びる。
【００５２】
第１凸部４２２２Ｃは、例えば、絞り加工によって成形され、内側（図１３の左側）に向けて突出する。第１凸部４２２２Ｃは、第１横壁部４２２２Ｃａと、第２横壁部４２２２Ｃｂと、縦壁部４２２２Ｃｃと、を有する。第１横壁部４２２２Ｃａと第２横壁部４２２２Ｃｂとは、縦方向（図１３の上下方向）に離隔して配置される。縦壁部４２２２Ｃｃは、第１横壁部４２２２Ｃａの端部と第２横壁部４２２２Ｃｂの端部とを縦方向に連結する。縦壁部４２２２Ｃｃは、第１収容体４１０Ｃの第２部位４１２Ｃの側面４１２Ｃａに当接可能である。当該変形例では、縦壁部４２２２Ｃｃの縦方向の長さが第１実施形態の縦壁部４２２２ｃよりも長い。即ち、図４と図１３とを比較すると明らかなように、第２横壁部４２２２Ｃｂの縦方向の位置が第２横壁部４２２２ｂよりも裏面側（図１３の下側）に配置されているため、縦壁部４２２２Ｃｃの縦方向に沿った長さが縦壁部４２２２ｃよりも長くなる。縦壁部４２２２Ｃｃの縦方向に沿った長さは、例えば、折り曲げ部４２２５Ｃの長さと略同一である。
【００５３】
当該変形例においては、第１凸部４２２２Ｃの縦壁部４２２２Ｃｃの縦方向の長さが第１実施形態の縦壁部４２２２ｃよりも長く、例えば、折り曲げ部４２２５Ｃの長さと略同一である。従って、第２部位４１２Ｃの側面４１２Ｃａに当接する面積も、第１実施形態等よりも大きくなるため、第２部位４１２Ｃと第３部位４２２Ｃとの間隙から、雨水等の異物が侵入することを更に抑制することができる。
【００５４】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。上述した各実施形態及び各変形例の要旨を逸脱しない範囲で、構成要素の種々の省略、置換及び変更のうち少なくとも１つを行うことができる。
【符号の説明】
【００５５】
１  表示装置
１０  表示パネル
２１０  光源
４０，４０Ａ，４０Ｂ，４０Ｃ  収容体
４１０，４１０Ａ，４１０Ｂ，４１０Ｃ  第１収容体
４１１  第１部位
４１２，４１２Ａ，４１２Ｂ，４１２Ｃ  第２部位
４１２Ａａ，４１２Ｂａ  第２凸部
４２０，４２０Ａ，４２０Ｂ，４２０Ｃ  第２収容体
４２１  第４部位
４２２，４２２Ａ，４２２Ｂ，４２２Ｃ  第３部位
４２２２，４２２２Ａ，４２２２Ｂ，４２２２Ｃ  第１凸部
４２２５，４２２５Ａ，４２２５Ｂ，４２２５Ｃ  折り曲げ部
４２２７  第３凸部
４２２８，４２２８Ｂ  第１貫通孔
４２２９  第２貫通孔
４３０，４３０Ａ，４３０Ｂ，４３０Ｃ  第３収容体
４３１  第６部位
４３２，４３２Ａ，４３２Ｂ，４３２Ｃ  第５部位
【図１】
2020154193.tif 000003
【図２】
2020154193.tif 000004
【図３】
2020154193.tif 000005
【図４】
2020154193.tif 000006
【図５】
2020154193.tif 000007
【図６】
2020154193.tif 000008
【図７】
2020154193.tif 000009
【図８】
2020154193.tif 000010
【図９】
2020154193.tif 000011
【図１０】
2020154193.tif 000012
【図１１】
2020154193.tif 000013
【図１２】
2020154193.tif 000014
【図１３】
2020154193.tif 000015